(57)【要約】【課題】天板に水が滴下しても電動機に水が付着することを防止することができることを目的とする。【解決手段】下面には吸気口を有し、側面には、上面には開口部１７を有した本体フレーム３と、開口部１７を塞ぐ天板４と、天板４に回転軸を垂直方向にして設けた電動機６と、電動機６に取付ける遠心送風羽根とを有し、本体フレーム３の開口部１７の外側にはリブ１０を設け、リブ１０に切欠き１１を設け、天板４に滴下した水が電動機６に付着する前に切欠き１１から流れ落ち、天板４に水が滴下しても電動機６に水が付着することを防止することができる換気装置を得られる。【選択図】図２
2017180847.tif 000002
【特許請求の範囲】
【請求項１】
下面には吸気口を有し、側面には排気口を有し、上面には開口部を有した本体フレームと、前記開口部を塞ぐ天板と、前記天板に回転軸を垂直方向にして設けた電動機と、前記電動機に取付ける遠心送風羽根とを有し、前記本体フレームの開口部の外側にはリブを設け、前記リブに切欠きを設けることを特徴とする換気装置。
【請求項２】
前記切欠きを複数設けることを特徴とする請求項１に記載の換気装置。
【請求項３】
前記切欠きを少なくとも３つ以上設け、前記電動機の外周が隣り合う二つの前記切欠きを直線で結んで構成される多角形の内側になるように前記切欠きを配置すること特徴とする請求項２に記載の換気装置。
【発明の詳細な説明】
【技術分野】
【０００１】
本発明は、天井に設けた開口に埋め込まれ、天井裏に配管され屋外と連通するダクトに接続され、室内の換気を行う換気装置に関するものである。
【背景技術】
【０００２】
従来、この種の換気装置は、遠心送風羽根を内包したファンケーシングを備えた遠心送風機が知られている（例えば、特許文献１参照）。
【０００３】
以下、その換気装置について図３を参照しながら説明する。
【０００４】
図に示すように、吸込口となるオリフィス１０１を有するファンケーシング１０２は側面部１０３が遠心送風羽根１０４の中心を基準に排気口と反対側の箇所を平面部１０５に形成され、平面部１０５は遠心送風羽根１０４の回転方向に向かうにしたがって本体フレーム１０６の内周面１０７に対し離れていく形状としている。
【先行技術文献】
【特許文献】
【０００５】
【特許文献１】特開２０１０−１６４２０３号公報
【発明の概要】
【発明が解決しようとする課題】
【０００６】
このような従来の換気装置においては、天板に水が滴下した場合に電動機に水が付着する恐れがある、という課題を有していた。
【０００７】
そこで本発明は、上記従来の課題を解決するものであり、天板に水が滴下しても電動機に水が付着することを防止することができる換気装置を提供することを目的とする。
【課題を解決するための手段】
【０００８】
そして、この目的を達成するために、本発明は、下面には吸気口を有し、側面には排気口を有し、上面には開口部を有した本体フレームと、前記開口部を塞ぐ天板と、前記天板に回転軸を垂直方向にして設けた電動機と、前記電動機に取付ける遠心送風羽根とを有し、前記本体フレームの開口部の外側にはリブを設け、前記リブに切欠きを設けることとしたものであり、これにより所期の目的を達成するものである。
【発明の効果】
【０００９】
本発明によれば、下面には吸気口を有し、側面には排気口を有し、上面には開口部を有した本体フレームと、前記開口部を塞ぐ天板と、前記天板に回転軸を垂直方向にして設けた電動機と、前記電動機に取付ける遠心送風羽根とを有し、前記本体フレームの開口部の外側にはリブを設け、前記リブに切欠きを設ける、という構成にしたことにより、天板に滴下した水が電動機に付着する前に切欠きから流れ落ちることとなるので、天板に水が滴下しても電動機に水が付着することを防止することができる、という効果を得ることができる。
【図面の簡単な説明】
【００１０】
【図１】本発明の実施の形態１の換気装置の側方から見た断面図
【図２】同換気装置の上方から見た平面図
【図３】従来の換気装置の下方から見た底面図
【発明を実施するための形態】
【００１１】
本発明の換気装置は、下面には吸気口を有し、側面には排気口を有し、上面には開口部を有した本体フレームと、前記開口部を塞ぐ天板と、前記天板に回転軸を垂直方向にして設けた電動機と、前記電動機に取付ける遠心送風羽根とを有し、前記本体フレームの開口部の外側にはリブを設け、前記リブに切欠きを設ける、という構成を有する。これにより、天板に滴下した水が電動機に付着する前に切欠きから流れ落ちることとなるので、天板に水が滴下しても電動機に水が付着することを防止することができる、という効果を奏する。
【００１２】
また、前記切欠きを複数設ける、という構成にしてもよい。これにより、天板に滴下した水が電動機に付着する前に複数のいずれかの切欠きから流れ落ちることとなるので、天板に水が滴下してもより確実に電動機に水が付着することを防止することができる、という効果を奏する。
【００１３】
また、前記切欠きを少なくとも３つ以上設け、前記電動機の外周が隣り合う二つの前記切欠きを直線で結んで構成される多角形の内側になるように前記切欠きを配置する、という構成にしてもよい。これにより、天板のどこに滴下しても水が電動機に付着する前に切欠きから流れ落ちることとなるので、天板のどこに水が滴下してもより確実に電動機に水が付着することを防止することができる、という効果を奏する。
【００１４】
以下、本発明の実施の形態について図面を参照しながら説明する。
【００１５】
（実施の形態１）
図１および図２に示すように、例えば方形状の本体フレーム３は、下面に開口した吸気口１を有し、一側面には排気口２を有する。本体フレーム３の上部には、例えば方形状の開口部１７を設ける。そして、例えば板金製の天板４は、開口部１７を塞ぐように下方からねじ（図示せず）で取り付け設ける。そして、天板４は、回転軸５が天板４に対して垂直の下方になるように電動機６を例えばねじ等で取り付ける。回転軸５には、シロッコファンの遠心送風羽根７を取り付け、遠心送風羽根７の外周はファンケーシング８で包囲し、ねじ（図示せず）等で本体フレーム３に下方から取り付ける。ファンケーシング８の下方には、空気の吸込み口となるオリフィス９を取り付ける。そして、本体フレーム３の開口部１７の外側には開口部１７を囲むようにリブ１０を設ける。そして、リブ１０には切欠き１１を設ける。また、リブ１０の下面には上方に向けて窪んだ凹形状部を形成し、天板４の外周を上方に折り曲げＬ字形部の曲げを形成する。そして、リブ１０の凹形状部に天板４のＬ字形部を差し込む。つまり、リブ１０の凹形状部に天板４のＬ字形部を差し込む構成にしたことにより、天板４と本体フレーム３との隙間から風が漏れることによる静圧の低下を防止することができる。
【００１６】
また、排気口２は、アダプター１２を介して屋外１８へと連通する筒状の排気ダクト１３と接続する。また、電動機６は、電子回路基板（図示せず）やコンデンサー（図示せず）などを内包する電装部１４を接続し、電装部１４は、電源コード１５を接続する。なお、電装部１４は、電子回路基板やコンデンサーを内包しない電装部１４でもよい。
【００１７】
なお、この実施の形態１では、本体フレーム３とファンケーシング８とは別部品としているが、製造コストを安くするため本体フレーム３とファンケーシング８とは一体の部品としても良い。
【００１８】
このような構成によれば、天板４に滴下した例えば雨等の水は天板４にまず溜まり、ある程度溜まったら切欠き１１に達しそれ以上溜まることなく切欠き１１から本体フレーム３の外側に流れ落ちることとなる。よって、天板４に水が滴下しても水が電動機６に達するまでに切欠き１１に達し電動機６に水が付着し故障することを防止することができる。
【００１９】
なお、切欠き１１から水が流れるために切欠き１１の幅（リブ１０同士が離れている長さ）は２ｍｍ以上であることが好ましい。
【００２０】
また、切欠き１１は、少なくとも３つ以上の切欠き１１を設け、隣り合う二つの切欠き１１を直線で結んで構成される多角形の内側に電動機６および電装部１４を配置することが好ましい。
【００２１】
これにより、換気装置すなわち本体フレーム３が傾いた状態で設置され、天板４が水平すなわち重力の方向に対して垂直でない場合でも、リブ１０によって天板４に溜まった水は隣り合う二つの切欠き１１を結ぶ直線より電動機６や電装部１４側へ流れていく前に切欠き１１に接触し流れ落ちることになるため、電動機６や電装部１４へ水が付着し故障することを防止することができる。
【００２２】
なお、切欠き１１は、リブ１０の角部１６近傍に設けることで、より早く天板４上の水が流れ落ちる。例えば、本体フレーム３が方形状の場合には切欠き１１を４隅近傍に配置することが好ましい。
【産業上の利用可能性】
【００２３】
本発明にかかる換気装置は、天板に水が滴下しても電動機に水が付着することを防止することができることを可能とするもので、天井に埋め込んで設置する換気装置全般に有用である。
【符号の説明】
【００２４】
１    吸気口
２    排気口
３    本体フレーム
４    天板
５    回転軸
６    電動機
７    遠心送風羽根
８    ファンケーシング
９    オリフィス
１０    リブ
１１    切欠き
１２    アダプター
１３    排気ダクト
１４    電装部
１５    電源コード
１６    角部
１７    開口部
１８    屋外
【図１】
2017180847.tif 000003
【図２】
2017180847.tif 000004
【図３】
2017180847.tif 000005